(57)【要約】  【課題】  本発明は、冷蔵庫の上下の真ん中に冷凍室を配置した冷蔵庫において、冷却効率を上げるために、冷蔵温度帯室用と冷凍温度帯室用の２つの冷却を使用する冷蔵庫において、ダクトの引き回しを提案するものである。【解決手段】本発明は冷凍室を配置した、冷蔵室の後部中央上方に設けられた冷蔵温度帯室用の冷却器と、この冷却器からの冷気を冷蔵室と野菜室に循環させるためのファンと、冷蔵室の後部の左右に設けられた冷気供給ダクトと、冷凍室の後方に側方に設けられ、前記左右の冷気供給ダクトの内の一方に連結し、冷気を野菜室に供給する野菜室用冷気供給ダクトと、冷凍室の後方で、且つ、野菜室用冷気供給ダクトとは反対側の側方に設けられ、野菜室からの戻り冷気を冷蔵室後方まで戻す野菜室用冷気戻りダクトと、野菜室用冷気戻りダクトから戻り冷気と、冷蔵室からの戻り冷気を第１冷却器に戻す戻りダクトとを備えることを特徴とする。  【選択図】  図２
2006153403.tif 000002
【特許請求の範囲】
【請求項１】
冷蔵庫(1)の最上部に配置された冷蔵室(2)と
最下部に配置された野菜室(6)と、
この冷蔵室(2)と野菜室(6)の間に配置された冷凍室(3,4,5)と、
前記冷蔵室(2)の後部中央上方に設けられた冷蔵温度帯室用の第１冷却器(10)と、
この第１冷却器(10)からの冷気を前記冷蔵室(2)と野菜室(6)に循環させるための第１ファン(11)と、
前記冷凍室(3,4,5)の後部中央下方に設けられた冷凍温度帯室用の第２冷却器(12)と、
この第１冷却器(12)からの冷気を前記冷凍室(3,4,5)に循環させるための第２ファン(13)と、
前記冷蔵室(2)の後部の左右に設けられた冷気供給ダクト(14,15)と、
前記冷凍室(3,4,5)の後方の側方に設けられ、前記左右の冷気供給ダクト(14,15)の内の一方(14)に連結し、冷気を前記野菜室(6)に供給する野菜室用冷気供給ダクト(16)と、
前記冷凍室(3,4,5)の後方で、且つ、前記野菜室用冷気供給ダクト(16)とは反対側の側方に設けられ、前記野菜室(6)からの戻り冷気を前記冷蔵室(2)後方まで戻す野菜室用冷気戻りダクト(17)と、
前記冷蔵室(2)の後部の中央に設けられ、前記野菜室用冷気戻りダクト(17)からの戻り冷気と前記冷蔵室(2)からの戻り冷気とを前記第１冷却器(10)に戻す戻りダクト(18)とを備えることを特徴とする冷蔵庫。
【発明の詳細な説明】
【技術分野】
【０００１】
本発明は、冷蔵庫のダクト構造に関する。
【背景技術】
【０００２】
冷蔵庫の上下の真ん中に野菜室を配置した冷蔵庫が、一般的であるが、冷蔵庫の上下の真ん中に冷凍室を配置した冷蔵庫がある（特許文献１、２参照）。また、冷蔵庫の冷却効率を上げるために、冷蔵温度帯室用と冷凍温度帯室用の２つの冷却器を使用する冷蔵庫がある（特許文献３、４参照）。
【特許文献１】特許公報第２５７５９１５号
【特許文献２】特許公報第２５３１８４３号
【特許文献３】特開平１０−３１１６６７号公報
【特許文献４】特開２００２−６２０２６号公報
【発明の開示】
【発明が解決しようとする課題】
【０００３】
本発明は、冷蔵庫の上下の真ん中に冷凍室を配置した冷蔵庫において、冷却効率を上げるために、冷蔵温度帯室用と冷凍温度帯室用の２つの冷却器を使用する冷蔵庫において、ダクトの引き回しを提案するものである。
【課題を解決するための手段】
【０００４】
本発明は、冷蔵庫(1)の最上部に配置された冷蔵室(2)と、最下部に配置された野菜室(6)と、この冷蔵室(2)と野菜室(6)の間に配置された冷凍室(3,4,5)と、前記冷蔵室(2)の後部中央上方に設けられた冷蔵温度帯室用の第１冷却器(10)と、この第１冷却器(10)からの冷気を前記冷蔵室(2)と野菜室(6)に循環させるための第１ファン(11)と、前記冷凍室(3,4,5)の後部中央下方に設けられた冷凍温度帯室用の第２冷却器(12)と、この第１冷却器(12)からの冷気を前記冷凍室(3,4,5)に循環させるための第２ファン(13)と、前記冷蔵室(2)の後部の左右に設けられた冷気供給ダクト(14,15)と、前記冷凍室(3,4,5)の後方の側方に設けられ、前記左右の冷気供給ダクト(14,15)の内の一方(14)に連結し、冷気を前記野菜室(6)に供給する野菜室用冷気供給ダクト(16)と、前記冷凍室(3,4,5)の後方で、且つ、前記野菜室用冷気供給ダクト(16)とは反対側の側方に設けられ、前記野菜室(6)からの戻り冷気を前記冷蔵室(2)後方まで戻す野菜室用冷気戻りダクト(17)と、前記冷蔵室(2)の後部の中央に設けられ、前記野菜室用冷気戻りダクト(17)からの戻り冷気と前記冷蔵室(2)からの戻り冷気とを前記第１冷却器(10)に戻す戻りダクト(18)とを備えることを特徴とする。
【発明の効果】
【０００５】
冷蔵庫の上下の真ん中に冷凍室を配置した冷蔵庫において、冷却効率を上げるために、冷蔵温度帯室用と冷凍温度帯室用の２つの冷却器を用いても、各室に冷気を循環させることができる。
【発明を実施するための最良の形態】
【０００６】
本発明は、冷蔵庫の最上部に配置された冷蔵室と最下部に配置された野菜室と、この冷蔵室と野菜室の間に配置された冷凍室と、冷蔵室の後部中央上方に設けられた冷蔵温度帯室用の第１冷却器と、この第１冷却器からの冷気を前記冷蔵室と野菜室に循環させるための第１ファンと、前記冷凍室の後部中央下方に設けられた冷凍温度帯室用の第２冷却器と、この第１冷却器からの冷気を前記冷凍室に循環させるための第２ファンと、前記冷蔵室の後部の左右に設けられた冷気供給ダクトと、前記冷凍室の後方に側方に設けられ、前記左右の冷気供給ダクトの内の一方に連結し、冷気を前記野菜室に供給する野菜室用冷気供給ダクトと、前記冷凍室の後方で、且つ、前記野菜室用冷気供給ダクトとは反対側の側方に設けられ、前記野菜室からの戻り冷気を前記冷蔵室後方まで戻す野菜室用冷気戻りダクトと、前記野菜室用冷気戻りダクトから戻り冷気と、前記冷蔵室からの戻り冷気を前記第１冷却器に戻す戻りダクトとを備えることを特徴とする冷蔵庫。
【実施例１】
【０００７】
本発明の実施例１を、図１〜図３を参照しつつ説明する。図１は、冷蔵庫１の全ての扉を外した正面からの図である。図２は、冷気の循環を説明するために、冷蔵庫の奥のダクトカバー板を外してダクト部分をむきだしにした冷蔵庫の正面図である。図３は、縦側断面図である。
図１において、冷蔵庫１において、２は冷蔵室、３、４，５は冷凍室、６は野菜室である。尚、冷凍室３，４，５のうち、３は製氷室、４は小さい冷凍室、５は大きな冷凍室である。７、８は断熱仕切り、９は前仕切りである。
【０００８】
ＢＲ、ＢＦは冷気吸込み口である。
【０００９】
図２において、２は、冷蔵庫の最上部に配置された冷蔵室である。６は、最下部に配置された野菜室である。３，４，５は、冷蔵室２と野菜室６の間に配置された冷凍室である。
【００１０】
１０は、冷蔵室２の後部中央上方に設けられた冷蔵温度帯室用の第１冷却器である。る。１１は、第１冷却器１からの冷気を冷蔵室２と野菜室６に循環させるための第１ファンである。
【００１１】
１２は、冷凍室３，４，５の後部中央下方に設けられた冷凍温度帯室用の第２冷却器である。１３は、この第１冷却器１２からの冷気を冷凍室３，４，５に循環させるための第２ファンである。
【００１２】
１４、１５は、冷蔵室２の後部の左右に設けられた冷気供給ダクトである。左側の冷気供給ダクト１５は、冷蔵室２の下端まで延びずに途中で止められている。
【００１３】
１６は、冷凍室３，４，５の後方に右側方に設けられ、前記左右の冷気供給ダクト１４，１５の内の右の一方１４に連結し、冷気を野菜６に供給する野菜室用冷気供給ダクトである。
【００１４】
１７は、冷凍室３，４，５の後方で、且つ、前記野菜室用冷気供給ダクト１６とは反対側の左側方に設けられ、野菜室６からの戻り冷気を前記冷蔵室２の後方で且つ、左側冷気供給ダクト１５の止められた部分の下方まで戻す野菜室用冷気戻りダクトである。
【００１５】
１８は、野菜室用冷気戻りダクト１７から戻り冷気と、前記冷蔵室２の戻り口（図１のＢＲ参照）からの戻り冷気を第１冷却器１０に戻す戻りダクトである。
このように、この実施例１によれば、冷蔵庫の上下の真ん中に冷凍室を配置した冷蔵庫において、冷却効率を上げるために、冷蔵温度帯室用と冷凍温度帯室用の２つの冷却器を用いても、各室に冷気を効率良く循環させることができる。
【図面の簡単な説明】
【００１６】
【図１】実施例１の冷蔵庫の扉を外した正面図である。
【図２】実施例１のダクトカバーは外した正面図である。
【図３】実施例１の縦側断面図である。
【符号の説明】
【００１７】
１・・・冷蔵庫
２・・・冷蔵室
３、４，５・・・冷凍室
６・・・野菜室
ＢＲ、ＢＦ・・・冷気吸込み口
１０・・・第１冷却器
１１・・・ファン
１２・・・第２冷却器
１３・・・第２ファン
１４、１５・・・冷気供給ダクト
１６・・・野菜室用冷気供給ダクト
１７・・・野菜室用冷気戻りダクト
１８・・・戻りダクト
【図１】
2006153403.tif 000003
【図２】
2006153403.tif 000004
【図３】
2006153403.tif 000005